(57)【要約】  本開示の実施形態は、手術室の中で器具を支持する際に使用するためのカバー無しＵＶパネルを含む。パネルは、殺菌のためにオートクレーブの内側にフィットし、殺菌カバー無しで利用され得る。使用時には、パネルは、外科用器具およびその近くの空気に連続的に照射する。
2020534093.tif 000002
【特許請求の範囲】
【請求項１】
第１の基板の中に位置決めされている第１の複数の紫外線発光ダイオードと、
前記第１の複数の紫外線発光ダイオードの少なくとも一部分と熱的接触している透明な材料の第１のシートと、
前記第１の基板および前記第１のシートを取り囲み、第１のパネルを形成する第１のフレームと、
前記第１のパネルを床の上方に支持するための可動式プラットフォームであって、前記可動式プラットフォームは、前記第１の複数の紫外線発光ダイオードから放出される光が前記床から上向き方向に方向付けられるような構成で、前記第１のパネルを受け入れるように適合されている、可動式プラットフォームと
を含む、装置。
【請求項２】
前記透明な材料は、透明なセラミック・アルミニウムである、請求項１に記載の装置。
【請求項３】
前記可動式プラットフォームは、前記第１のパネルを係合および解除するためのリリース・メカニズムを含む、請求項１に記載の装置。
【請求項４】
前記第１のパネルは、長方形形状を有している、請求項１に記載の装置。
【請求項５】
第２の基板の上に位置決めされている第２の複数の紫外線発光ダイオードと、
前記第２の複数の紫外線発光ダイオードの少なくとも一部分と熱的接触している透明な材料の第２のシートと、
前記第２の基板および前記第２のシートを取り囲み、第２のパネルを形成する第２のフレームと、
２層構造のブラケットを含む前記可動式プラットフォームであって、前記２層構造のブラケットは、前記第１のシートおよび前記第２のシートが互いに向き合って整合させられるような構成で、前記第１のパネルおよび前記第２のパネルを受け入れるように構成されている、前記可動式プラットフォームと
をさらに含む、請求項１に記載の装置。
【請求項６】
前記可動式プラットフォームは、前記第１のパネルを係合および解除するためのリリース・メカニズムを含む、請求項５に記載の装置。
【請求項７】
第１のパネル・パワー・ポートを含む前記第１のパネルと、
第２のパネル・パワー・ポートを含む前記第２のパネルと、
前記第１のパネルおよび第２のパネルが前記可動式プラットフォームの上に設置されているときに、前記第１のパネル・パワー・ポートおよび第２のパネル・パワー・ポートにそれぞれ自動的に係合するための第１のプラットフォーム・パワー・ポートおよび第２のプラットフォーム・パワー・ポートを含む前記可動式プラットフォームと
をさらに含む、請求項５に記載の装置。
【請求項８】
第２の基板の上に位置決めされている第２の複数の紫外線発光ダイオードと、
前記第２の複数の紫外線発光ダイオードと熱的接触している透明な材料の第２のシートと、
前記第２の基板および前記第２のシートを取り囲み、第２のパネルを形成する第２のフレームと、
第１のパネル・パワー・ポートを含む前記第１のパネルと、
第２のパネル・パワー・ポートを含む前記第２のパネルと、
前記第１のパネルおよび第２のパネルが前記可動式プラットフォームの上に設置されているときに、前記第１のパネル・パワー・ポートおよび第２のパネル・パワー・ポートにそれぞれ自動的に係合するための第１のプラットフォーム・パワー・ポートおよび第２のプラットフォーム・パワー・ポートを含む前記可動式プラットフォームと
をさらに含む、請求項１に記載の装置。
【請求項９】
前記可動式プラットフォームは、前記第１のパネルおよび前記第２のパネルを係合および解除するためのリリース・メカニズムを含む、請求項８に記載の装置。
【請求項１０】
前記第１の基板は、オートクレーブの中にフィットするようにサイズ決めされた幾何学形状を含む、請求項１に記載の装置。
【請求項１１】
組み立て方法であって、前記組み立て方法は、
第１の複数の紫外線発光ダイオードを第１の基板の上に位置決めするステップと、
前記第１の複数の紫外線発光ダイオードの少なくとも一部分と熱的接触している透明な材料の第１のシートを固定するステップと、
前記第１の基板および前記第１のシートを取り囲み、第１のパネルを形成する第１のフレームを形成するステップと、
前記第１のパネルを床の上方に支持するための可動式プラットフォームを組み立てるステップであって、前記可動式プラットフォームは、前記第１の複数の紫外線発光ダイオードから放出される光が前記床から上向き方向に方向付けられるような構成で、前記第１のパネルを受け入れるように適合されている、ステップと
を含む、方法。
【請求項１２】
前記透明な材料は、透明なセラミック・アルミニウムである、請求項１１に記載の方法。
【請求項１３】
前記可動式プラットフォームは、前記第１のパネルを係合および解除するためのリリース・メカニズムを含む、請求項１１に記載の方法。
【請求項１４】
前記第１のパネルは、長方形形状を有している、請求項１１に記載の方法。
【請求項１５】
第２の複数の紫外線発光ダイオードを第２の基板の上に位置決めするステップと、
前記第２の複数の紫外線発光ダイオードの少なくとも一部分と熱的接触している透明な材料の第２のシート固定するステップと、
前記第２の基板および前記第２のシートを取り囲み、第２のパネルを形成する第２のフレームを形成するステップと、
前記可動式プラットフォームに２層構造のブラケットを装備するステップであって、前記２層構造のブラケットは、前記第１のシートおよび前記第２のシートが互いに向き合って整合させられるような構成で、前記第１のパネルおよび前記第２のパネルを受け入れるように構成されている、ステップと
をさらに含む、請求項１１に記載の方法。
【請求項１６】
前記第１のパネルを係合および解除するためのリリース・メカニズムを前記可動式プラットフォームに装備するステップをさらに含む、請求項１５に記載の方法。
【請求項１７】
前記第１のパネルに第１のパネル・パワー・ポートを提供するステップと、
前記第２のパネルに第２のパネル・パワー・ポートを提供するステップと、
前記第１のパネルおよび第２のパネルが前記可動式プラットフォームの上に設置されているときに、前記第１のパネル・パワー・ポートおよび第２のパネル・パワー・ポートにそれぞれ自動的に係合するための第１のプラットフォーム・パワー・ポートおよび第２のプラットフォーム・パワー・ポートを、前記可動式プラットフォームに装備するステップと
をさらに含む、請求項１５に記載の方法。
【請求項１８】
第２の複数の紫外線発光ダイオードを第２の基板の上に位置決めするステップと、
前記第２の複数の紫外線発光ダイオードの少なくとも一部分と熱的接触している透明な材料の第２のシートを固定するステップと、
前記第２の基板および前記第２のシートを取り囲み、第２のパネルを形成する第２のフレームを形成するステップと、
前記第１のパネルに第１のパネル・パワー・ポートを装備するステップと、
前記第２のパネルに第２のパネル・パワー・ポートを装備するステップと、
前記第１のパネルおよび第２のパネルが前記可動式プラットフォームの上に設置されているときに、前記第１のパネル・パワー・ポートおよび第２のパネル・パワー・ポートにそれぞれ自動的に係合するための第１のプラットフォーム・パワー・ポートおよび第２のプラットフォーム・パワー・ポートを、前記可動式プラットフォームに装備するステップと
をさらに含む、請求項１１に記載の方法。
【請求項１９】
前記第１のパネルおよび前記第２のパネルを係合および解除するためのリリース・メカニズムを、前記可動式プラットフォームに装備するステップをさらに含む、請求項１８に記載の方法。
【請求項２０】
オートクレーブの中にフィットするための幾何学形状によって、前記第１の基板をサイズ決めするステップをさらに含む、請求項１１に記載の方法。
【発明の詳細な説明】
【技術分野】
【０００１】
関連出願との相互参照
本出願は、Ｊｏｈｎ  Ｍａｎｓｅｌｌによる「Ｓｔｅｒｉｌｉｚｉｎｇ  Ｓｕｒｇｉｃａｌ  Ｉｎｓｔｒｕｍｅｎｔ  Ｔａｂｌｅ」という表題の２０１７年９月２２日に出願された米国仮特許出願第６２／５６２，０３６号の優先権を主張し、それは、その全体が再現されているかのように、参照により本明細書に組み込まれている。
【０００２】
本発明は、外科手技の間に使用される器具を支持および保護するテーブルおよび表面に関する。
【背景技術】
【０００３】
医療用手術室の中に見出される典型的な器具テーブルは、殺菌カバーとフィットさせられ、外科手術において使用される医療用器具のためのステージング・エリアとして使用されている。それにもかかわらず、外科感染症は、依然として深刻な問題である。細菌は、気流（たとえば、部屋の中の運動に起因するブラウン運動または微弱流）およびダストを使用して移動する。したがって、空気移動、騒音レベル、および、動作の長さは、すべて、外科手術に起因する感染の可能性に影響を及ぼす。感染レートに対する空気移動と他の要因との相関関係の感染促進効果（ｐｒｏ−ｉｎｆｅｃｔｉｏｎ  ｅｆｆｅｃｔ）を低減させる必要性が存在している。
【発明の概要】
【発明が解決しようとする課題】
【０００４】
手術室の中で器具を支持する際に使用するためのカバー無し紫外光放出パネルが開示されている。パネルは、殺菌のためにオートクレーブの内側にフィットし、したがって、殺菌カバー無しで利用され得る。使用時には、パネルは、外科用器具およびその近くの空気に連続的に照射する。
【課題を解決するための手段】
【０００５】
ある実施形態では、装置は、第１の基板の上に位置決めされている第１の複数の紫外線発光ダイオードと、第１の複数の紫外線発光ダイオードと熱的接触している透明な材料の第１のシートと、第１の基板および第１のシートを取り囲み、第１のパネルを形成する第１のフレームと、第１のパネルを床の上方に支持するための可動式プラットフォームであって、可動式プラットフォームは、第１の複数の紫外線発光ダイオードから放出される光が床から上向き方向に方向付けられるような構成で、第１のパネルを受け入れるように適合されている、可動式プラットフォームとを含むことが可能である。
【０００６】
ある実施形態では、組み立て方法は、第１の複数の紫外線発光ダイオードを第１の基板の上に位置決めするステップと、第１の複数の紫外線発光ダイオードと熱的接触している透明な材料の第１のシートを固定するステップと、第１の基板および第１のシートを取り囲み、第１のパネルを形成する第１のフレームを形成するステップと、第１のパネルを床の上方に支持するための可動式プラットフォームを組み立てるステップであって、可動式プラットフォームは、第１の複数の紫外線発光ダイオードから放出される光が床から上向き方向に方向付けられるような構成で、第１のパネルを受け入れるように適合されている、ステップとを含むことが可能である。
【図面の簡単な説明】
【０００７】
任意の特定のエレメントまたは行為の議論を容易に識別するために、参照数字の中の最上位の１つまたは複数の桁は、エレメントが最初に導入される図番を表している。
【０００８】
【図１】１つの実施形態による殺菌用器具テーブル１００を図示する図である。
【図２】１つの実施形態による殺菌用パネル・システム２００を図示する図である。
【図３】１つの実施形態による組み立てプロセス３００を図示する図である。
【図４】別の実施形態による殺菌用器具テーブル４００を図示する図である。
【図５】１つの実施形態による組み立てプロセス５００を図示する図である。
【図６Ａ】さらに別の実施形態による殺菌用器具テーブル６００を図示する図である。
【図６Ｂ】さらに別の実施形態による殺菌用器具テーブル６００を図示する図である。
【図６Ｃ】さらに別の実施形態による殺菌用器具テーブル６００を図示する図である。
【図７】１つの実施形態による組み立てプロセス７００を図示する図である。
【図８】１つの実施形態によるＬＥＤ制御プロセス８００を図示する図である。
【図９】本明細書で説明されている殺菌用パネル・システムを動作させるためのコントローラー９００の実施形態を図示する図である。
【発明を実施するための形態】
【０００９】
本明細書において、「ＬＥＤ」は、電圧が印加されているときに輝く半導体ダイオードを含むことが可能である発光ダイオードを表している。
【００１０】
本明細書において、「ＵＶ」は、紫外光、たとえば、可視スペクトルの紫端のものよりも短いがＸ線のものよりも長い波長を有する電磁放射線、および／または、そのような放射線を使用するかまたはそれに関係する機器または技法を表している。
【００１１】
本明細書において、「ＵＶ  ＬＥＤ」および／または「紫外線ＬＥＤ」は、紫外線発光ダイオード、すなわち、紫外光を送信および／または作り出すことができる発光ダイオードを表している。
【００１２】
本明細書において、「リリース・メカニズム」は、ラッチ、摩擦カップリング、ネジ山付きデバイスなどを表しており、それは、下にあるブラケットまたはそれを支持するテーブル・トップからＵＶパネルを迅速に（たとえば、２〜１０秒以内で）解除するために、ツール無しで、手によって動作させられ得る。
【００１３】
図１は、１つの実施形態による殺菌用器具テーブル１００を図示している。殺菌用器具テーブル１００は、スタンド１１０によって支持されている殺菌用パネル１０２と、コントローラー１０４とを含むことが可能であり、コントローラー１０４は、殺菌用パネル１０２に接続されており、殺菌用パネル１０２の動作を制御するように構成されている。殺菌用パネル１０２およびコントローラー１０４は、電力ケーブル１１２を介して給電され得る。
【００１４】
殺菌用パネル１０２は、ＬＥＤアレイ１０６と、透明なカバー１０８とを含むことが可能であり、ＬＥＤアレイ１０６は、パネル基板１１４の上に装着され得り、透明なカバー１０８は、ＬＥＤアレイ１０６の上方にフィットすることが可能である。ＬＥＤアレイ１０６は、１つまたは複数の紫外線発光ダイオード（ＵＶ  ＬＥＤ）を含むことが可能である。いくつかの実施形態では、殺菌用器具テーブル１００の１つまたは複数のエレメントは、関連のリリース・メカニズム１１６の動作によって制御および／または調節され得る。リリース・メカニズム１１６は、１つまたは複数のバネ荷重式のテーブル・ベース・アタッチメント（それは、スタンド１１０の中へ組み込まれ得り、および／または、スタンド１１０の一部であることが可能である）を移動させるように構成され得り、この場合に、バネ荷重式のテーブル・ベース・アタッチメントは、ノッチ付きのバヨネット固定具および／またはロッキング・パーツを含むことが可能であり、パネル基板１１４（それは、より詳細に下記に説明されているように、テーブル・トップを含むことが可能であり、および／または、テーブル・トップに取り付けられ得る）の除去を可能にする。
【００１５】
殺菌用器具テーブル１００の実施形態は、図３の組み立てプロセス３００にしたがって構築され得る。
【００１６】
図２は、１つの実施形態による殺菌用パネル・システム２００を図示している。殺菌用パネル・システム２００は、殺菌用パネル２０２と、パワー・コンバーター２０４と、ＬＥＤドライバー２０６と、ＬＥＤ２０８と、コントローラー２１０とを含む。コントローラー２１０は、パワー・コンバーター２０４に電力を提供し、パワー・コンバーター２０４は、ＬＥＤドライバー２０６に適切な形態に電力を変換する。コントローラー２１０は、ＬＥＤドライバー２０６にコマンドをさらに提供し、コマンドは、コントローラー２１０のユーザー・インターフェースの動作によって発生させられる。ＬＥＤドライバー２０６は、コントローラー２１０のコマンドにしたがって、ＬＥＤ２０８またはそのサブセットの出力を給電および／または制御する。
【００１７】
図３は、１つの実施形態による組み立てプロセス３００を図示している。ブロック３０２において、複数の紫外線ＬＥＤが、オートクレーブの中にフィットするようにサイズ決めされた幾何学形状で基板の上に位置決めされる。ブロック３０４において、透明なセラミック・アルミニウム（または、他のＵＶ透過性の殺菌可能な材料）のシートが、ＬＥＤの少なくとも一部分と熱的接触した状態で据え付けられ、ＬＥＤとシートとの間の任意の空気ギャップを排除する。これは直感に反するように思えるが、予想外の利益は、たとえば、殺菌プロセスの間など、極度の熱のへの露出の間に、基板と透明なセラミック・アルミニウムとの間の循環空気に起因する透明なセラミック・アルミニウムの膨張および収縮が緩和される（そのような空気循環は、破壊を誘発し、最終的に、透明なセラミック・アルミニウムの疲労亀裂を引き起こす可能性がある）ということである可能性がある。ブロック３０６において、基板およびシートが、パネルを形成するためにフレーム化される（ｆｒａｍｅｄ）。ブロック３０８において、可動式フロア・プラットフォームが、パネルのために組み立てられる。
【００１８】
図４は、別の実施形態による殺菌用器具テーブル４００を図示している。殺菌用器具テーブル４００は、下側殺菌用パネル４０２（複数のＵＶ  ＬＥＤを含む第１のＬＥＤアレイ１０６を含む）と、上側殺菌用パネル４０４（複数のＵＶ  ＬＥＤを含む第２のＬＥＤアレイ１０７を含む）とを含み、それらは、下側殺菌用パネル４０２の透明なカバー１０８および上側殺菌用パネル４０４の透明なカバー４０６が互いに向かい合うように組み立てられている。したがって、上側殺菌用パネル４０４からの殺菌用放射線は、下側殺菌用パネル４０２に向けて方向付けられており、また、その逆も同様である。
【００１９】
下側殺菌用パネル４０２および上側殺菌用パネル４０４は、装着用フレーム４０８によって、それらの相対的な構成に維持されている。装着用フレーム４０８は、縁部、ブラケット、またはフランジが、パネルの透明な（殺菌用）表面の上または上方に突出しないように形成されている。少なくとも下側殺菌用パネル４０２は、（たとえば）オートクレーブの中で処理するために、装着用フレーム４０８から除去可能である。殺菌用器具テーブル４００は、空気フローまたはサウンド・センサー４１０を含むことが可能であり、それは、コントローラー１０４に信号を提供することが可能であり、コントローラー１０４は、次いで、空気フローおよび／または空気撹拌の変化に応答して、第１のＬＥＤアレイ１０６および／または第２のＬＥＤアレイ１０７から放出された光の強度を調節するように、ロジックを動作させる。殺菌用器具テーブル４００の実施形態は、図５の組み立てプロセス５００にしたがって構築され得る。
【００２０】
図５を参照すると、ブロック５０２において、第１の複数の紫外線ＬＥＤが、オートクレーブの中にフィットするようにサイズ決めされた幾何学形状で第１の基板の上に位置決めされる。ブロック５０４において、透明なセラミック・アルミニウム（または、他のＵＶ透過性の殺菌可能な材料）の第１のシートが、第１のＬＥＤの少なくとも一部分と熱的接触した状態で据え付けられる。ブロック５０６において、第１の基板および第１のシートが、第１のパネルを形成するためにフレーム化される。ブロック５０８において、第２の複数の紫外線ＬＥＤが、オートクレーブの中にフィットするようにサイズ決めされた幾何学形状で第２の基板の上に位置決めされる。ブロック５１０において、透明なセラミック・アルミニウム（または、他のＵＶ透過性の殺菌可能な材料）の第２のシートが、第２のＬＥＤの少なくとも一部分と熱的接触した状態で据え付けられる。ブロック５１２において、第２の基板および第２のシートが、第２のパネルを形成するためにフレーム化される。ブロック５１４において、リテイナー・ブラケットが、第１のシートが第２のシートに面するように、第２のパネルを第１のパネルの上方に支持するために形成される。ブロック５１６において、可動式フロア・プラットフォームが、第１のパネルのために組み立てられる。
【００２１】
図６Ａ〜図６Ｃは、さらに別の実施形態による殺菌用器具テーブル６００を図示している。殺菌用器具テーブル６００は、テーブル・トップ６０２と、第１の殺菌用パネル６０４と、第２の殺菌用パネル６０６とを含む。
【００２２】
図６Ｂに示されているように、第１の殺菌用パネル６０４は、リテンション・プラグ６０８およびパワー・ポート６１０を含み、第２の殺菌用パネル６０６は、リテンション・プラグ６１４およびパワー・ポート６１２を含む。
【００２３】
図６Ｃに示されているように、テーブル・トップ６０２は、パワー・ポート６１６およびパワー・ポート６１８、ならびに、リテンション・プラグ６２０およびリテンション・プラグ６２２を含む。第１の殺菌用パネル６０４および第２の殺菌用パネル６０６は、テーブル・トップ６０２に独立して据え付けられ、テーブル・トップ６０２から独立して除去され得る。第１の殺菌用パネル６０４は、パワー・ポート６１０をパワー・ポート６１６と係合させることによって給電され、第２の殺菌用パネル６０６は、パワー・ポート６１２をパワー・ポート６１８と係合させることによって給電される。リテンション・プラグ６０８は、リテンション・プラグ６２２に係合し、第１の殺菌用パネル６０４をテーブル・トップ６０２に固定する。同様に、リテンション・プラグ６１４は、リテンション・プラグ６２０に係合し、第２の殺菌用パネル６０６をテーブル・トップ６０２に固定する。リテンション・プラグ６０８は、関連のリリース・メカニズム１１６の動作によって、リテンション・プラグ６２２から解除され得り、リテンション・プラグ６１４は、リテンション・プラグ６２０から解除され得る。
【００２４】
この実施形態では、殺菌用器具テーブル６００のテーブル・トップ６０２は、オートクレーブの中にフィットすることとなるサイズよりも実質的に大きくなる可能性があるが、それぞれの殺菌用パネルは、使用後に独立して除去され、オートクレーブされ得る。
【００２５】
いくつかの実施形態では、リテンション・プラグ６０８、６１４、６２０、および６２２は、１つもしくは複数のバネ荷重式のエレメント、ノッチ付きのエレメント、バヨネットエレメント、バヨネット固定具、および／またはロッキング・パーツを含むことが可能である。
【００２６】
いくつかの実施形態では、リテンション・プラグ６０８、６１４、６２０、および６２２は、異なっているが対応して形状決めされたエレメントを含むことが可能であり、それらのエレメントは、除去可能に互いに取り付けるために、相互作用するように構成されている。たとえば、リテンション・プラグ６０８は、リテンション・プラグ６２２と相互作用するように構成され得り、異なっているが相互作用する形状および／または構成を含むことが可能である。同様に、リテンション・プラグ６１４は、リテンション・プラグ６２２と相互作用するように構成され得り、異なっているが相互作用する形状および／または構成を含むことが可能である。
【００２７】
例として、１つのリテンション・プラグは、ノッチ付きのバヨネットを含むことが可能であり、一方、対応するリテンション・プラグは、受け入れ用アタッチメントを含むことが可能である。ノッチ付きのバヨネットは、受け入れ用アタッチメントに進入することが可能であり、バネ荷重式の圧力によって、そのノッチを受け入れ用アタッチメントの中の小さい棚またはキャッチメント（ｃａｔｃｈｍｅｎｔ）の上にセットする。受け入れ用アタッチメントは、バヨネットを縁部から離れるように並進させ、除去のためにそれをクリアすることを可能にするように十分に大きくなるようにサイズ決めされ得る。例として、バヨネットのテーパー付きの端部は、バヨネットが適切な場所にカチッと収まる前に、１つのエレメントを別のエレメントの上方に低下させることを可能にすることができる。いくつかの実施形態では、バネ荷重式の取り付けを可能にするために、殺菌用器具テーブル６００は、受け入れ用アタッチメントの受け入れ用縁部に対して２つのノッチ付きのバヨネットを固定するために、ノッチ無しのスムーズ・バヨネットを受け入れるために正確にサイズ決めされている単純な受け入れ用スムーズ・ポートを含むことも可能である。
【００２８】
殺菌用器具テーブル６００の実施形態は、図７の組み立てプロセス７００にしたがって構築され得る。
【００２９】
図７を参照すると、ブロック７０２において、第１の複数の紫外線ＬＥＤが、オートクレーブの中にフィットするようにサイズ決めされた幾何学形状で第１の基板の上に位置決めされる。ブロック７０４において、透明なセラミック・アルミニウム（または、他のＵＶ透過性の殺菌可能な材料）の第１のシートが、第１のＬＥＤの少なくとも一部分と熱的接触した状態で据え付けられる。ブロック７０６において、第１の基板および第１のシートが、第１のパネルを形成するためにフレーム化される。ブロック７０８において、第１のパワー・ポートが、第１のパネルの上に設けられる。ブロック７１０において、第２の複数の紫外線ＬＥＤが、オートクレーブの中にフィットするようにサイズ決めされた幾何学形状で第２の基板の上に位置決めされる。ブロック７１２において、透明なセラミック・アルミニウム（または、他のＵＶ透過性の殺菌可能な材料）の第２のシートが、第２のＬＥＤの少なくとも一部分と熱的接触した状態で据え付けられる。ブロック７１４において、第２の基板および第２のシートが、第２のパネルを形成するためにフレーム化される。ブロック７１６において、第２のパワー・ポートが、第２のパネルの上に設けられる。ブロック７１８において、サポート表面が、第１のパネルおよび第２のパネルの同時の共面的な支持のために形成される。ブロック７２０において、複数のパワー・ポートが、サポート表面の中に設けられ、第１のパワー・ポートおよび第２のパワー・ポートと整合させられる。ブロック７２２において、可動式フロア・プラットフォームが、サポート表面のために組み立てられる。
【００３０】
検出される空気フローに比例してパネルから放出されるＬＥＤ光の強度を調節することが有利である可能性がある。これは、低い空気フローの間のエネルギーおよびＵＶ放射線への入射露出を節約することが可能であり、空気が迅速に移動しているときの殺菌を改善することが可能である。したがって、殺菌は、パネルの上に置かれている器具だけではなく、ＬＥＤ光に露出される空気の体積にも適用され得る。
【００３１】
図８は、１つの実施形態によるＬＥＤ制御プロセス８００を図示している。
【００３２】
ブロック８０２において、空気フロー・センサーが、空気流量を検出するために動作させられる。ブロック８０４において、ＬＥＤ光の強度が、空気流量または空気撹拌の増加に応答して（または、周囲の音（それは、空気流量または撹拌に比例している）に応答して）増加させられる。ブロック８０６において、ＬＥＤ光放出の強度は、空気流量および／または撹拌の減少に応答して減少させられる。
【００３３】
図９は、本明細書で説明されている殺菌用パネル・システムを動作させるためのコントローラー９００の実施形態を図示している。
【００３４】
入力デバイス９０４は、物理的な現象をマシン内部信号へ、典型的に、電気的な信号、光学的な信号、または磁気的な信号へ変換するトランスデューサーを含む。また、信号は、ラジオ周波数（ＲＦ）範囲において、また、潜在的に赤外線範囲または光学的範囲においても、電磁放射線の形態でワイヤレスであることが可能である。入力デバイス９０４の例は、物体からのタッチもしくは物理的な圧力、または、表面への物体の近接に応答するボタンまたはキー、空間を通る運動または平面を横切る運動に応答するタッチ・スクリーン、温度センサー、および、空気圧力センサー、サウンド・センサー、または空気運動センサーである。入力デバイス９０４からの信号は、さまざまなマシン信号導体（たとえば、バスまたはネットワーク・インターフェース）および回路を介して、メモリー９０６に提供される。
【００３５】
メモリー９０６は、典型的に、第１または第２のレベル・メモリー・デバイスとして知られているものであり、入力デバイス９０４から受け取られた信号、ＣＰＵ９０２の動作を制御するためのインストラクションおよびデータ、ならびに、ストレージ・デバイス９１０からの信号の（物質の構成または物質の状態を介した）ストレージを提供する。
【００３６】
メモリー９０６および／またはストレージ・デバイス９１０は、コンピューター実行可能なインストラクションを記憶することが可能であり、したがって、ＣＰＵ９０２に適用されるとき、および、ＣＰＵ９０２によって実行されるときに、本明細書で開示されているプロセスの実施形態を実装するロジック９１４を形成する。
【００３７】
メモリー９０６の中に記憶された情報は、典型的に、デバイスのＣＰＵ９０２に直接的にアクセス可能である。デバイスへの信号入力は、メモリー９０６の内部材料／エネルギー状態の再構成を引き起こし、本質的に新しいマシン構成を生成させ、制御信号（インストラクション）および制御信号とともに提供されるデータによってＣＰＵ９０２の挙動に影響を与えることによって、コントローラー９００の挙動に影響を及ぼす。
【００３８】
第２または第３のレベル・ストレージ・デバイス９１０は、より遅いがより高い容量のマシン・メモリー能力を提供することが可能である。ストレージ・デバイス９１０の例は、ハード・ディスク、光ディスク、大容量フラッシュ・メモリー、または、他の不揮発性のメモリー技術、および磁気メモリーである。
【００３９】
ＣＰＵ９０２は、メモリー９０６の構成がストレージ・デバイス９１０の中の信号によって変更されることを引き起こすことが可能である。換言すれば、ＣＰＵ９０２は、データおよびインストラクションがメモリー９０６の中のストレージ・デバイス９１０から読まれることを引き起こすことが可能であり、メモリー９０６は、次いで、インストラクションおよびデータ信号にしたがってＣＰＵ９０２の動作に影響を及ぼすことが可能であり、また、それは、メモリー９０６から出力デバイス９０８へ提供され得る。ＣＰＵ９０２は、内部構成を変更するようにメモリー９０６のマシンインターフェースに信号を送ることによって、メモリー９０６の内容を変更することが可能であり、次いで、その材料内部構成を変更するように、変換された信号をストレージ・デバイス９１０に送る。換言すれば、データおよびインストラクションは、メモリー９０６（それは、揮発性であることが多い）からストレージ・デバイス９１０（それは、不揮発性であることが多い）へバックアップされ得る。
【００４０】
出力デバイス９０８は、トランスデューサーであり、トランスデューサーは、メモリー９０６から受け取られた信号を物理的な現象へ、たとえば、空気の中の振動、または、マシン・ディスプレイの上の光のパターン、または、インクまたは他の材料（すなわち、プリンターおよび３−Ｄプリンター）の振動（すなわち、触覚デバイス）もしくはパターンなどへ変換する。
【００４１】
ＬＥＤドライバー９１２は、メモリー９０６またはＣＰＵ９０２から信号を受け取り、それらをパネルのＬＥＤへの電気信号へと変換する。また、ＬＥＤドライバー９１２は、信号をメモリー９０６またはＣＰＵ９０２に通信することも可能である。
【００４２】
さまざまなデバイスおよび方法を本明細書で説明してきたが、例示的な実施形態または態様は、それに限定されないが、以下のものを含むことが可能である。
【００４３】
第１の実施形態において、装置は、第１の基板の中に位置決めされている第１の複数の紫外線発光ダイオード（ＵＶ  ＬＥＤ）と、第１の複数の紫外線発光ダイオードの少なくとも一部分と熱的接触している透明な材料の第１のシートと、第１の基板および第１のシートを取り囲み、第１のパネルを形成する第１のフレームと、第１のパネルを床の上方に支持するための可動式プラットフォームであって、可動式プラットフォームは、第１の複数の紫外線発光ダイオードから放出される光が床から上向き方向に方向付けられるような構成で、第１のパネルを受け入れるように適合されている、可動式プラットフォームとを含むことが可能である。
【００４４】
第２の実施形態は、第１の実施形態の装置を含むことが可能であり、透明な材料は、透明なセラミック・アルミニウムである。
【００４５】
第３の実施形態は、第１または第２の実施形態の装置を含むことが可能であり、可動式プラットフォームは、第１のパネルを係合および解除するためのリリース・メカニズムを含む。
【００４６】
第４の実施形態は、第１から第３の実施形態のうちのいずれかの装置を含むことが可能であり、第１のパネルは、長方形形状を有している。
【００４７】
第５の実施形態は、第１から第４の実施形態のうちのいずれかの装置を含むことが可能であり、第２の基板の上に位置決めされている第２の複数の紫外線ＬＥＤと、第２の紫外線ＬＥＤと熱的接触している透明な材料の第２のシートと、第２の基板および第２のシートを取り囲み、第２のパネルを形成する第２のフレームと、２層構造のブラケットを含む可動式プラットフォームであって、２層構造のブラケットは、第１のシートおよび第２のシートが互いに向き合って整合させられるような構成で、第１のパネルおよび第２のパネルを受け入れるように構成されている、可動式プラットフォームとをさらに含む。
【００４８】
第６の実施形態は、第５の実施形態の装置を含むことが可能であり、可動式プラットフォームは、第１のパネルを係合および解除するためのリリース・メカニズムを含む。
【００４９】
第７の実施形態は、第５または第６の実施形態の装置を含むことが可能であり、第１のパネル・パワー・ポートを含む第１のパネルと、第２のパネル・パワー・ポートを含む第２のパネルと、第１のパネルおよび第２のパネルが可動式プラットフォームの上に設置されているときに、第１のパネル・パワー・ポートおよび第２のパネル・パワー・ポートにそれぞれ自動的に係合するための第１のプラットフォーム・パワー・ポートおよび第２のプラットフォーム・パワー・ポートを含む可動式プラットフォームとをさらに含む。
【００５０】
第８の実施形態は、第１から第７の実施形態のうちのいずれかの装置を含むことが可能であり、第２の基板の上に位置決めされている第２の複数の紫外線ＬＥＤと、第２の紫外線ＬＥＤと熱的接触している透明な材料の第２のシートと、第２の基板および第２のシートを取り囲み、第２のパネルを形成する第２のフレームと、第１のパネル・パワー・ポートを含む第１のパネルと、第２のパネル・パワー・ポートを含む第２のパネルと、第１のパネルおよび第２のパネルが可動式プラットフォームの上に設置されているときに、第１のパネル・パワー・ポートおよび第２のパネル・パワー・ポートにそれぞれ自動的に係合するための第１のプラットフォーム・パワー・ポートおよび第２のプラットフォーム・パワー・ポートを含む可動式プラットフォームとをさらに含む。
【００５１】
第９の実施形態は、第８の実施形態の装置を含むことが可能であり、可動式プラットフォームは、第１のパネルおよび第２のパネルを係合および解除するためのリリース・メカニズムを含む。
【００５２】
第１０の実施形態は、第１から第９の実施形態のうちのいずれかの装置を含むことが可能であり、第１の基板は、オートクレーブの中にフィットするようにサイズ決めされた幾何学形状を含む。
【００５３】
第１１の実施形態において、組み立て方法は、第１の複数の紫外線ＬＥＤを第１の基板の上に位置決めするステップと、第１の紫外線ＬＥＤと熱的接触している透明な材料の第１のシートを固定するステップと、第１の基板および第１のシートを取り囲み、第１のパネルを形成する第１のフレームを形成するステップと、第１のパネルを床の上方に支持するための可動式プラットフォームを組み立てるステップであって、可動式プラットフォームは、第１の紫外線ＬＥＤから放出される光が床から上向き方向に方向付けられるような構成で、第１のパネルを受け入れるように適合されている、ステップとを含むことが可能である。
【００５４】
第１２の実施形態は、第１１の実施形態の方法を含むことが可能であり、透明な材料は、透明なセラミック・アルミニウムである。
【００５５】
第１３の実施形態は、第１１または第１２の実施形態の方法を含むことが可能であり、可動式プラットフォームは、第１のパネルを係合および解除するためのリリース・メカニズムを含む。
【００５６】
第１４の実施形態は、第１１から第１３の実施形態のうちのいずれかの方法を含むことが可能であり、第１のパネルは、長方形形状を有している。
【００５７】
第１５の実施形態は、第１１から第１４の実施形態のうちのいずれかの方法を含むことが可能であり、第２の複数の紫外線ＬＥＤを第２の基板の上に位置決めするステップと、第２の紫外線ＬＥＤと熱的接触している透明な材料の第２のシート固定するステップと、第２の基板および第２のシートを取り囲み、第２のパネルを形成する第２のフレームを形成するステップと、可動式プラットフォームに２層構造のブラケットを装備するステップであって、２層構造のブラケットは、第１のシートおよび第２のシートが互いに向き合って整合させられるような構成で、第１のパネルおよび第２のパネルを受け入れるように構成されている、ステップとをさらに含む。
【００５８】
第１６の実施形態は、第１５の実施形態の方法を含むことが可能であり、第１のパネルを係合および解除するためのリリース・メカニズムを可動式プラットフォームに装備するステップをさらに含む。
【００５９】
第１７の実施形態は、第１５または第１６の実施形態の方法を含むことが可能であり、第１のパネルに第１のパネル・パワー・ポートを提供するステップと、第２のパネルに第２のパネル・パワー・ポートを提供するステップと、第１のパネルおよび第２のパネルが可動式プラットフォームの上に設置されているときに、第１のパネル・パワー・ポートおよび第２のパネル・パワー・ポートにそれぞれ自動的に係合するための第１のプラットフォーム・パワー・ポートおよび第２のプラットフォーム・パワー・ポートを、可動式プラットフォームに装備するステップとをさらに含む。
【００６０】
第１８の実施形態は、第１１から第１７の実施形態のうちのいずれかの方法を含むことが可能であり、第２の複数の紫外線ＬＥＤを第２の基板の上に位置決めするステップと、第２の紫外線ＬＥＤと熱的接触している透明な材料の第２のシートを固定するステップと、第２の基板および第２のシートを取り囲み、第２のパネルを形成する第２のフレームを形成するステップと、第１のパネルに第１のパネル・パワー・ポートを装備するステップと、第２のパネルに第２のパネル・パワー・ポートを装備するステップと、第１のパネルおよび第２のパネルが可動式プラットフォームの上に設置されているときに、第１のパネル・パワー・ポートおよび第２のパネル・パワー・ポートにそれぞれ自動的に係合するための第１のプラットフォーム・パワー・ポートおよび第２のプラットフォーム・パワー・ポートを、可動式プラットフォームに装備するステップとをさらに含む。
【００６１】
第１９の実施形態は、第１８の実施形態の方法を含むことが可能であり、第１のパネルおよび第２のパネルを係合および解除するためのリリース・メカニズムを、可動式プラットフォームに装備するステップをさらに含む。
【００６２】
第２０の実施形態は、第１１から第１９の実施形態のうちのいずれかの方法を含むことが可能であり、オートクレーブの中にフィットするための幾何学形状によって、第１の基板をサイズ決めするステップをさらに含む。
【００６３】
本明細書で使用されている用語は、関連の技術分野におけるそれらの通常の意味を与えられるべきであり、または、文脈におけるそれらの使用によって示される意味を与えられるべきであるが、明示的な定義が提供されている場合には、その意味が支配する。
【００６４】
この文脈における「回路」は、少なくとも１つの個別の電気回路を有する電気回路、少なくとも１つの集積回路を有する電気回路、少なくとも１つの特定用途向け集積回路を有する電気回路、コンピューター・プログラムによって構成されている汎用コンピューティングデバイス（たとえば、本明細書で説明されているプロセスもしくはデバイスを少なくとも部分的に実施するコンピューター・プログラムによって構成されている汎用コンピューター、または、本明細書で説明されているプロセスまたはデバイスを少なくとも部分的に実施するコンピューター・プログラムによって構成されているマイクロプロセッサー）を形成する回路、メモリー・デバイス（たとえば、ランダム・アクセス・メモリーの形態）を形成する回路、または、通信デバイス（たとえば、モデム、通信スイッチ、もしくは光学電気機器）を形成する回路を表している。
【００６５】
この文脈における「ファームウェア」は、リード・オンリー・メモリーまたは媒体の中に記憶されているプロセッサー実行可能なインストラクションとして具現化されているソフトウェア・ロジックを表している。
【００６６】
この文脈における「ハードウェア」は、アナログ回路またはデジタル回路として具現化されているロジックを表している。
【００６７】
この文脈における「ロジック」は、マシン・メモリー回路、非一時的な機械可読媒体、ならびに／または、その材料および／もしくは材料−エネルギー構成によって、デバイスの動作に影響を及ぼすように適用され得る制御信号および／もしくは手続き的信号、および／もしくは、セッティングおよび値（たとえば、抵抗、インピーダンス、キャパシタンス、インダクタンス、電流／電圧定格など）を含む回路を表している。磁気的な媒体、電子的な回路、電気的なおよび光学的なメモリー（揮発性および不揮発性の両方）、ならびに、ファームウェアは、ロジックの例である。ロジックは、具体的には、純粋な信号またはソフトウェア自体を除外する（しかし、マシン・メモリーを除外せず、マシン・メモリーは、ソフトウェアを含み、それによって、物質の構成を形成する）。
【００６８】
この文脈における「プログラマブル・デバイス」は、製造した後に構成および／または再構成されるように設計されている集積回路を表している。「プログラマブル・プロセッサー」という用語は、本明細書におけるプログラマブル・デバイスについての別の名称である。プログラマブル・デバイスは、プログラマブル・プロセッサー、たとえば、フィールド・プログラマブル・ゲート・アレイ（ＦＰＧＡ）、構成可能なハードウェア・ロジック（ＣＨＬ）、および／または、任意の他のタイプのプログラマブル・デバイスなどを含むことが可能である。プログラマブル・デバイスの構成は、一般的に、コンピューター・コードまたはデータ、たとえば、ハードウェア記述言語（ＨＤＬ）など、たとえば、ＶｅｒｉｌｏｇまたはＶＨＤＬなどを使用して特定される。プログラマブル・デバイスは、プログラマブル論理ブロックのアレイ、および、プログラマブル論理ブロックがＨＤＬコードの中の記述にしたがって互いに連結されることを可能にする再構成可能な相互接続のヒエラルキーを含むことが可能である。プログラマブル論理ブロックのそれぞれは、複雑な組み合わせ関数、または、単に単純な論理ゲート（たとえば、ＡＮＤなど）、およびＸＯＲ論理ブロックを実施するように構成され得る。ほとんどのＦＰＧＡにおいて、論理ブロックは、メモリー・エレメントも含み、メモリー・エレメントは、単純なラッチ、フリップ−フロップ（ｆｌｉｐ−ｆｌｏｐｓ）（以降では、「フロップ（ｆｌｏｐｓ）」とも称される）、または、より複雑なメモリーのブロックであることが可能である。異なる論理ブロック同士の間の相互接続の長さに応じて、信号は、異なる時間における論理ブロックの入力端子に到着することが可能である。
【００６９】
この文脈における「ソフトウェア」は、マシン・メモリー（たとえば、読み出し／書き込み用の揮発性のまたは不揮発性のメモリーまたは媒体）の中のプロセッサー実行可能なインストラクションとして実装されたロジックを表している。
【００７０】
本明細書において、「１つの実施形態」または「ある実施形態」を参照することは、必ずしも、同じ実施形態を表しているわけではないが、そうである可能性もある。文脈上明白に他の意味に解釈すべき場合を除いて、明細書および特許請求の範囲の全体を通して、「含む（ｃｏｍｐｒｉｓｅ）」および「含む（ｃｏｍｐｒｉｓｉｎｇ）」などの語句は、排他的な意味または包括的な意味とは対照的に、包含的な意味で解釈されるべきであり、すなわち、「を含むが、それに限定されない」という意味で解釈されるべきである。単数形または複数形を使用する語句は、単一のものまたは複数のものに明示的に限定されていない限り、複数形または単数形もそれぞれ含む。追加的に、「本明細書では」、「上記に」、「下記に」という語句、および、同様の趣旨の語句は、本出願の中で使用されているときには、全体として本出願を表しており、本出願の任意の特定の部分を表しているのではない。特許請求の範囲が、２つ以上の項目のリストに関連して「または」という語句を使用するときには、明示的に一方または他方に限定されていない限り、その語句は、その語句の以下の解釈のすべてをカバーする：リストの中の項目のいずれか、リストの中の項目のすべて、および、リストの中の項目の任意の組み合わせ。本明細書で明示的に定義されていない任意の用語は、当業者によって一般に理解されているようなそれらの従来の意味を有する。
【００７１】
本明細書で説明されているさまざまな論理関数的な動作は、前記動作または関数を反映する名詞または名詞句を使用して言及される論理で実装され得る。たとえば、関連の動作（ａｓｓｏｃｉａｔｉｏｎ  ｏｐｅｒａｔｉｏｎ）は、「アソシエイター（ａｓｓｏｃｉａｔｏｒ）」または「コリレイター（ｃｏｒｒｅｌａｔｏｒ）」によって実施され得る。同様に、スイッチングは、「スイッチ」、「セレクター」による選択などによって実施され得る。
【００７２】
当業者は、本明細書で記述されているような方式でデバイスまたはプロセスを記述すること、および、その後に、標準的なエンジニアリング実務を使用し、そのような説明されたデバイスまたはプロセスをより大きいシステムの中へ一体化することが、当技術分野内で一般的であるということを認識することとなる。本明細書で説明されているデバイスまたはプロセスの少なくとも一部分は、合理的な量の実験を介してネットワーク処理システムの中へ一体化され得る。さまざまな実施形態が、本明細書で説明されており、例として提示されており、限定として提示されてはいない。
【００７３】
当業者は、さまざまなロジック実装形態が存在しており、それによって、本明細書で説明されているプロセスおよび／またはシステムが実現され得るということ（たとえば、ハードウェア、ソフトウェア、またはファームウェア）、および、好適な車両は、プロセスが展開されている文脈とともに変化することとなるということを認識することとなる。実装者が、速度および精度が最も重要であるということを決定する場合には、実装者は、ハードウェアまたはファームウェア実装形態を選ぶことが可能である。代替的に、フレキシビリティーが最も重要である場合には、実装者は、単独でソフトウェア実装形態を選ぶことが可能である。または、さらに繰り返しになるが、代替的に、実装者は、ハードウェア、ソフトウェア、またはファームウェアのいくつかの組み合わせを選ぶことが可能である。したがって、多数の可能な実装形態が存在しており、それによって、本明細書で説明されているプロセスが実現され得り、そのいずれも、利用されることとなる任意の車両が、実装形態が展開されることとなる文脈、および、実装者の特定の関心（たとえば、速度、フレキシビリティー、または予測可能性）（そのいずれかは変化する可能性がある）に依存する選択肢であるという点において、本質的に、他のものよりも優れているということはない。当業者は、実装形態の光学的な態様は、光学的に配向されたハードウェア、ソフトウェア、および、またはファームウェアに関与することが可能であるということを認識することとなる。
【００７４】
当業者は、ロジックが、１つまたは複数のデバイスの全体を通して分配され得り、および／または、組み合わせメモリー、媒体、処理回路およびコントローラー、ならびに他の回路などから構成され得るということを認識することとなる。したがって、明確および正確にするために、ロジックは、常に、デバイスおよびシステムの図面に別個に図示されているわけではない可能性があるが、それは、本質的にその中に存在している。本明細書で説明されている技法および手順は、１つまたは複数のコンピューティングデバイスの中に分配されたロジックを介して実装され得る。ロジックの特定の分配および選択肢は、実装形態にしたがって変化することとなる。
【００７５】
先述の詳細な説明は、ブロック図、フローチャート、または例の使用を介して、デバイスまたはプロセスのさまざまな実施形態を記述してきた。そのようなブロック図、フローチャート、または例が、１つまたは複数の関数または動作を含有する限りにおいて、そのようなブロック図、フローチャート、または例の中のそれぞれの関数または動作が、広範囲のハードウェア、ソフトウェア、ファームウェア、または事実上それらの任意の組み合わせによって、個別にまたは集合的に実装され得るということが、評判の悪いものとして当業者によって理解されることとなる。本明細書で説明されている主題の部分は、特定用途向け集積回路（ＡＳＩＣ）、フィールド・プログラマブル・ゲート・アレイ（ＦＰＧＡ）、デジタル信号プロセッサー（ＤＳＰ）、または、他の集積フォーマットを介して実装され得る。しかし、当業者は、本明細書で開示されている実施形態のいくつかの態様が、全体的にまたは部分的に、１つまたは複数の処理デバイスの上で走る１つまたは複数のコンピューター・プログラムとして（たとえば、１つまたは複数のコンピューターシステムの上で走る１つまたは複数のプログラムとして）、１つまたは複数のプロセッサーの上で走る１つまたは複数のプログラムとして（たとえば、１つまたは複数のマイクロプロセッサーの上で走る１つまたは複数のプログラムとして）、ファームウェアとして、または、事実上その任意の組み合わせとして、標準的な集積回路の中で均等に実装され得るということ、ならびに、回路を設計することまたはソフトウェアまたはファームウェアに関するコードを書くことが、本開示に照らして十分に当業者の技能の範囲内にあることとなるということを認識することとなる。加えて、当業者は、本明細書で説明されている主題のメカニズムが、さまざまな形態のプログラム製品として分配されることができるということ、および、本明細書で説明されている主題の例示目的の実施形態が、分配を実際に実施するために使用される特定のタイプの信号伝達媒体にかかわらず、等しく適用されるということを認識することとなる。信号伝達媒体の例は、それに限定されないが、以下のもの：記録可能なタイプの媒体、たとえば、フロッピー・ディスク、ハード・ディスク・ドライブ、ＣＤ  ＲＯＭ、デジタル・テープ、フラッシュ・ドライブ、ＳＤカード、ソリッド・ステートの固定ストレージまたはリムーバブル・ストレージ、およびコンピューター・メモリーなどを含む。
【００７６】
一般的な意味で、当業者は、広範囲のハードウェア、ソフトウェア、ファームウェア、または、それらの任意の組み合わせによって個別にまたは集合的に実装され得る、本明細書で説明されているさまざまな態様が、さまざまなタイプの回路から構成されるものとして見られ得るということを認識することとなる。
【図１】
2020534093.tif 000003
【図２】
2020534093.tif 000004
【図３】
2020534093.tif 000005
【図４】
2020534093.tif 000006
【図５】
2020534093.tif 000007
【図６Ａ】
2020534093.tif 000008
【図６Ｂ】
2020534093.tif 000009
【図６Ｃ】
2020534093.tif 000010
【図７】
2020534093.tif 000011
【図８】
2020534093.tif 000012
【図９】
2020534093.tif 000013
【国際調査報告】
2020534093.tif 000014
2020534093.tif 000015
2020534093.tif 000016